(57)【要約】【課題】容器本体内の内容物を使い切ることが可能なキャップ付容器を提供することを目的とする。【解決手段】内容物を収容する容器本体２と、容器本体２の口部２０に取り外し可能に装着された中栓３と、口部２０に脱着可能に被着されたオーバーキャップ４と、を備えるキャップ付容器１において、中栓３には、口部２０の内側に配置されて口部２０に係合された係合筒部３２と、軸方向に沿って延設されていると共に係合筒部３２を介して口部２０内に連通され、先端に注出口３５が形成されたノズル筒部３０と、が備えられ、オーバーキャップ４には、注出口３５を密閉する頂壁部７０と、口部２０の開口端縁に対して全周に亘って密接される環状の開口端縁シール部７６が設けられている。【選択図】図１
2011073718.tif 000002
【特許請求の範囲】
【請求項１】
内容物を収容する容器本体と、
該容器本体の口部に取り外し可能に装着され、前記口部よりも開口面積が小さい注出口が形成された中栓と、
前記口部に脱着可能に被着され、前記中栓を覆うオーバーキャップと、
を備えるキャップ付容器において、
前記中栓には、前記口部の内側に配置されて該口部に係合された係合筒部と、軸方向に沿って延設されていると共に前記係合筒部を介して前記口部内に連通され、先端に前記注出口が形成されたノズル筒部と、が備えられ、
前記オーバーキャップには、前記注出口を密閉する頂壁部と、前記口部の開口端縁に対して全周に亘って密接される環状の開口端縁シール部が設けられていることを特徴とするキャップ付容器。
【請求項２】
請求項１に記載のキャップ付容器において、
前記オーバーキャップには、有頂筒状のキャップ本体と、該キャップ本体内に嵌合されていると共に前記ノズル筒部に被着されたノズルキャップと、が備えられ、
該ノズルキャップには、前記頂壁部と、該頂壁部の外縁から垂下された周壁部と、該周壁部の外側に配設されて前記キャップ本体に係止された係止部と、該係止部と前記周壁部とを連結する環状部と、が備えられ、
前記開口端縁シール部が、前記環状部の表面から前記口部の開口端縁に向かって突設されていることを特徴とするキャップ付容器。
【請求項３】
請求項２に記載のキャップ付容器において、
前記頂壁部に、前記注出口の周囲全周に亘って周設されて前記ノズル筒部の先端面に密接される環状の注出口シール部が突設されていることを特徴とするキャップ付容器。
【請求項４】
請求項３に記載のキャップ付容器において、
前記環状部には、前記開口端縁シール部が設けられた外周部と、軸方向に弾性変形可能な内周部と、が備えられ、
前記オーバーキャップが前記口部に被着された状態において、前記環状部の内周部が弾性変形して前記頂壁部が前記ノズル筒部の先端面側に付勢されていることを特徴とするキャップ付容器。
【請求項５】
請求項１から４のいずれか一項に記載のキャップ付容器において、
前記中栓には、前記ノズル筒部と前記係合筒部とを接続する環状のフランジ部が備えられ、
該フランジ部の外周部は、前記口部の開口端縁の内周部に係止され、
該内周部には、前記フランジ部の外周部が嵌め込まれる段差が全周に亘って形成されており、
前記フランジ部の表面と前記口部の開口端縁とが面一に形成されていることを特徴とするキャップ付容器。
【請求項６】
請求項５に記載のキャップ付容器において、
前記環状部には、前記フランジ部に対して全周に亘って密接される環状の中栓シール部が突設されていることを特徴とするキャップ付容器。
【発明の詳細な説明】
【技術分野】
【０００１】
本発明は、キャップ付容器に関する。
【背景技術】
【０００２】
この種のキャップ付容器として、従来、例えば下記特許文献１に記載されているような、内容物を収容する容器本体と、容器本体の口部の内側に取り外し可能に挿嵌された中栓と、中栓の外周に周設されていると共に口部の外周に螺着されたリングと、口部に被着されて中栓を覆うオーバーキャップと、を備えるチューブ容器が知られている。上記した中栓の頂壁部には、口部の内径よりも小径の注出口が形成されている。また、上記したリングの内縁は、中栓に対して上方から係止されており、このリングによって中栓が抜け止めされている。また、上記したオーバーキャップには、上記した中栓に密接される円筒形状の中栓シール部と、上記したリングに密接される円筒形状のリングシール部と、が備えられている。
【０００３】
上記した従来のキャップ付容器によれば、口部に中栓及びリングが装着された状態で使用し、小径の注出口から内容物を注出することで、内容物が少量ずつ注出され、内容物が過多に注出されることを防止することができる。一方、容器本体内の内容物の残りが少量となり、注出口から内容物が注出しにくくなったときには、まず、口部に螺着されたリングを取り外し、その後、中栓を口部から引き抜いて取り外す。これにより、内容物を口部から指等で直接掻き出すことが可能となり、容器本体内の内容物を使い切ることができる。また、中栓の取り外し後に、口部にリングを再度螺着させることで、口部にオーバーキャップを被着させたとき、リングシール部によって口部が密閉される。これにより、容器本体内の内容物の乾燥を防止することができる。
【先行技術文献】
【特許文献】
【０００４】
【特許文献１】特開２００８−２５４７６９号公報
【発明の概要】
【発明が解決しようとする課題】
【０００５】
しかしながら、上記した従来のキャップ付容器では、中栓を抜け止めするためのリングが備えられており、部品数が多いという問題がある。また、中栓の取り外し後にリングを再装着しなければならないので、口部から中栓を取り外して使用する際の手順が煩雑であるという問題がある。
【０００６】
本発明は、上記した従来の問題が考慮されたものであり、容器本体内の内容物を使い切ることが可能であると共に容器本体内の内容物の乾燥を防止することができ、且つ、部品数が少なく、口部から中栓を取り外して使用する際の手順が容易なキャップ付容器を提供することを目的としている。
【課題を解決するための手段】
【０００７】
本発明に係るキャップ付容器は、内容物を収容する容器本体と、該容器本体の口部に取り外し可能に装着され、前記口部よりも開口面積が小さい注出口が形成された中栓と、前記口部に脱着可能に被着され、前記中栓を覆うオーバーキャップと、を備えるキャップ付容器において、前記中栓には、前記口部の内側に配置されて該口部に係合された係合筒部と、軸方向に沿って延設されていると共に前記係合筒部を介して前記口部内に連通され、先端に前記注出口が形成されたノズル筒部と、が備えられ、前記オーバーキャップには、前記注出口を密閉する頂壁部と、前記口部の開口端縁に対して全周に亘って密接される環状の開口端縁シール部が設けられていることを特徴としている。
【０００８】
このような特徴により、オーバーキャップが口部に被着されたとき、頂壁部が注出口を密閉し、開口端縁シール部が口部の開口端縁に密接することによって容器本体内の気密性が確保される。
また、キャップ付容器を使用する際には、オーバーキャップを口部から取り外した後、容器本体内の内容物を注出する。
このとき、容器本体内に内容物が十分に残っている際には、口部に中栓が装着された状態で使用し、小径の注出口から内容物を注出する。これにより、内容物が少量ずつ注出される。
一方、容器本体内の内容物の残りが少量となり、注出口から内容物が注出しにくくなったときには、口部に装着された中栓を取り外す。これにより、注出口に比べて大口径の口部が開放されるので、口部に指等を挿入して容器本体内の内容物を直接掻き出すことが可能となる。そして、使用後に、口部にオーバーキャップを被着させることで、開口端縁シール部が口部の開口端縁に密接し、容器本体内の気密性が確保される。
【０００９】
また、本発明に係るキャップ付容器は、前記オーバーキャップに、有頂筒状のキャップ本体と、該キャップ本体内に嵌合されていると共に前記ノズル筒部に被着されたノズルキャップと、が備えられ、該ノズルキャップに、前記頂壁部と、該頂壁部の外縁から垂下された周壁部と、該周壁部の外側に配設されて前記キャップ本体に係止された係止部と、該係止部と前記周壁部とを連結する環状部と、が備えられ、前記開口端縁シール部が、前記環状部の表面から前記口部の開口端縁に向かって突設されていることが好ましい。
【００１０】
これにより、オーバーキャップが口部に被着されることで、注出口が頂壁部によって密閉される。また、環状部に形成された開口端縁シール部が口部の開口端縁に対して全周に亘って密接しやすくなる。
【００１１】
また、本発明に係るキャップ付容器は、前記頂壁部に、前記注出口の周囲全周に亘って周設されて前記ノズル筒部の先端面に密接される環状の注出口シール部が突設されていることが好ましい。
【００１２】
これにより、オーバーキャップが口部に被着されることで、頂壁部に形成された注出口シール部が、ノズル筒部の先端面に対して全周に亘って密接しやすくなる。
【００１３】
また、本発明に係るキャップ付容器は、前記環状部には、前記開口端縁シール部が設けられた外周部と、軸方向に弾性変形可能な内周部と、が備えられ、前記オーバーキャップが前記口部に被着された状態において、前記環状部の内周部が弾性変形して前記頂壁部が前記ノズル筒部の先端面側に付勢されていることが好ましい。
【００１４】
これにより、オーバーキャップが口部に被着されることで、環状部の内周部によって頂壁部がノズル筒部の先端面側に付勢され、頂壁部に形成された注出口シール部が、ノズル筒部の先端面に対して全周に亘って密接しやすくなる。
【００１５】
また、本発明に係るキャップ付容器は、前記中栓に、前記ノズル筒部と前記係合筒部とを接続する環状のフランジ部が備えられ、該フランジ部の外周部が、前記口部の開口端縁の内周部に係止され、該内周部に、前記フランジ部の外周部が嵌め込まれる段差が全周に亘って形成されており、前記フランジ部の表面と前記口部の開口端縁とが面一に形成されていることが好ましい。
【００１６】
これにより、中栓が容器の口部に対して安定して装着される。
【００１７】
また、本発明に係るキャップ付容器は、前記環状部に、前記フランジ部に対して全周に亘って密接される環状の中栓シール部が突設されていることが好ましい。
【００１８】
これにより、オーバーキャップを口部に被着させたとき、口部の開口端縁に密接される開口端縁シール部とフランジ部の表面に密接される中栓シール部とが同等な圧力で密接され、開口端縁シール部及び中栓シール部の双方によるシール性がそれぞれ安定して発揮される。
【発明の効果】
【００１９】
本発明に係るキャップ付容器によれば、口部から中栓を取り外すことで、容器本体内の内容物を容易に使い切ることができる。また、口部の開口端縁に密接する開口端縁シール部がオーバーキャップに設けられているので、中栓の取り外し前だけでなく、中栓の取り外し後も、中栓を再装着することなく容器本体内の気密性を確保することができ、容器本体内の内容物の乾燥を防止することができる。また、口部に係合される係合筒部が中栓に一体に形成されているので、中栓を抜け止めする部材が不要であり、部品数を少なくすることができる。また、口部から中栓を取り外して使用する際の手順としては、中栓を口部から取り外すだけなので、使用手順が簡単であり、使いやすさを向上させることができる。
【図面の簡単な説明】
【００２０】
【図１】本発明に係る実施の形態を説明するためのキャップ付容器の縦断面図である。
【図２】本発明に係る実施の形態を説明するための容器本体の口部に装着された中栓の平面図である。
【図３】本発明に係る他の実施の形態を説明するためのキャップ付容器の縦断面図である。
【発明を実施するための形態】
【００２１】
以下、本発明に係るキャップ付容器の実施の形態について、図面に基いて説明する。
なお、本実施の形態では、キャップ付容器１における軸方向一方側、つまり口部２０側（図１における上側）を「上方」とし、また、キャップ付容器１における軸方向他方側、つまり口部２０側の反対側（図１における下側）を「下方」とする。また、図１に示す符号Ｏは、キャップ付容器１の中心軸線を示しており、以下、単に軸線Ｏと記す。また、この軸線Ｏ方向を、以下、単に「軸方向」と記し、軸線Ｏに直交する方向を、以下、単に「径方向」と記し、軸線Ｏ回りの方向を、以下、単に「周方向」と記す。
【００２２】
図１に示すように、キャップ付容器１の概略構成としては、内部に内容物を収容する容器本体２と、容器本体２の口部２０に取り外し可能に装着された中栓３と、口部２０に脱着可能に被着されて中栓３を覆うオーバーキャップ４と、を備えている。
【００２３】
容器本体２は、筒状の口部２０が上端に設けられて図示せぬ下端が閉塞されたチューブ状の容器体であり、容器本体２の概略構成としては、可撓性を有する筒状の胴部２１と、胴部２１の上端から上方に向かうに従い漸次縮径されたテーパー状の肩部２２と、肩部２２の内縁から立設された口部２０と、を備えている。
容器本体２の図示せぬ下端部は、胴部２１の下端部を径方向内側に潰すように変形させて重ね合わせ、接着や溶着などによって接合した構成となっている。
【００２４】
口部２０は、軸線Ｏを中心軸線にして軸方向に沿って延設された多段状の筒部であり、その概略構成としては、オーバーキャップ４が係合される大径部２３と、大径部２３よりも上方（口部２０の開口端側）に配設されて中栓３が係合される小径部２５と、小径部２５と大径部２３とを接続する環状の段差部２４と、を備えている。
【００２５】
大径部２３は、肩部２２の内縁から立設されてオーバーキャップ４の内側に配設される円筒形状の筒部であり、大径部２３の外周面には、オーバーキャップ４を螺着させるための雄ねじ２６が形成されている。
段差部２４は、大径部２３の上端から全周に亘って径方向内側に突出されて小径部２５の下端に接続された円環状の段差である。
小径部２５は、大径部２３よりも小径の円筒状の筒部であり、段差部２４の内縁から立設されている。この小径部２５の内周面には、中栓３を螺着させるための雌ねじ２７が形成されている。また、この小径部２５の開口端縁の内周部には、段差２８が全周に亘って形成されている。この段差２８は、後述する中栓３のフランジ部３１の外周部が嵌め込まれて係止される段差であり、この段差２８の高さは、フランジ部３１の厚さと同等の寸法となっている。
【００２６】
中栓３は、口部２０の上端部（小径部２５）の内周に螺着される外ネジ式の栓体であり、内容物を注出するための注出口３５が形成されている。詳しく説明すると、中栓３の概略構成としては、小径部２５の径方向内側に周設されて小径部２５に係合された係合筒部３２と、その係合筒部３２を介して口部２０内に連通されたノズル筒部３０と、ノズル筒部３０の下端と係合筒部３２の上端とを接続する環状のフランジ部３１と、を備えている。
【００２７】
ノズル筒部３０は、軸線Ｏを中心軸線にして軸方向に沿って延設されていると共に上端に頂壁部３４が設けられた有頂筒部であり、上端に注出口３５が形成されている。詳しく説明すると、ノズル筒部３０は、上方に向かうに従い漸次縮径されたテーパー状の筒体であり、口部２０の上端開口の上方に配設されている。上記した注出口３５は、口部２０の上端よりも開口面積が小さい開口であり、具体的には、口部２０の上端開口よりも小径の円形孔からなる。このノズル筒部３０の外周面には、指等が掛けられる突出部３３が設けられている。この突出部３３は、上方に向かって漸次径方向外側に突出されたオーバーハング状の突出部であり、図２に示すように、ノズル筒部３０の全周に亘って平面視多角形状に形成されている。
【００２８】
フランジ部３１は、ノズル筒部３０の下端から径方向外側に向けて全周に亘って突出された円環状の板部であり、軸線Ｏに対して略垂直に配設されている。このフランジ部３１の外周部は、口部２０の段差２８の内側に嵌め込まれることで係止されており、フランジ部３１の上面は、口部２０の開口端縁と略面一に形成されている。
【００２９】
係合筒部３２は、フランジ部３１の下面から垂下された円筒状の筒部である。この係合筒部３２は、軸線Ｏを共通軸にして小径部２５と同軸上に配設されており、この係合筒部３２の外周面には、上記した小径部２５の雌ねじ２７に螺合される雄ねじ３６が形成されている。
なお、中栓３は１つの部品からなる部材であり、上記したノズル筒部３０、フランジ部３１及び係合筒部３２は一体に形成されている。
【００３０】
オーバーキャップ４には、有頂筒状の外殻部材５と、外殻部材５の内側に嵌合された有頂筒状のキャップ本体６と、キャップ本体６内に嵌合されたノズルキャップ７と、が備えられている。
【００３１】
外殻部材５は、キャップ本体６を被覆する外装体であり、軸線Ｏを中心軸線にして軸方向に沿って延設された有頂筒状の部材である。外殻部材５の概略構成としては、軸線Ｏに対して垂直に配設された天壁部５０と、天壁部５０の外縁から垂下された周壁部５１と、を備えている。天壁部５０は、平面視円形の板部であり、後述するキャップ本体６の頂壁部６０の上方に配設されている。周壁部５１は、直筒状の円筒部であり、周壁部５１の外径は容器本体２の胴部２１の外径と略同径となっている。この周壁部５１の下部の内周面には、縦断面視略凹状の係合凹部５２が形成されている。
【００３２】
キャップ本体６は、軸線Ｏを共通軸にして口部２０や中栓３と同軸上に配設された有頂筒状の部材であり、外殻部５の天壁部５０の下方に配設された天壁部６０と、天壁部６０の外縁から垂下された周壁部６１と、が備えられている。
【００３３】
周壁部６１には、口部２０の径方向外側に周設されて口部２０の大径部２３に係合された下筒部６２と、下筒部６２よりも小径の上筒部６３と、下筒部６２の上端と上筒部６３の下端とを接続する段差部６４と、が備えられている。
【００３４】
下筒部６２は、軸線Ｏを共通軸にして口部２０や外殻部材５の周壁部５１と同軸上に配設された円筒形状の筒部であり、外殻部材５の周壁部５１の内側に共回り不能に嵌合されている。下筒部６２の内周面には、上記した口部２０の大径部２３の雄ねじ２６に螺合される雌ねじ６６が形成されており、オーバーキャップ４は、この下筒部６２によって口部２０に螺着されている。また、下筒部６２の外周面には、上記した係合凹部５２の内側に嵌め込まれてアンダーカット嵌合する係合凸部６７が形成されており、下筒部６２は、係合凹部５２及び係合凸部６７によって外殻部材５の周壁部５１に係止されている。
【００３５】
段差部６４は、下筒部６２の上端から径方向内側に向けて全周に亘って突出された円環状の段差部である。この段差部６４は、口部２０の開口端縁の上方に配設され、段差部６４の下面は、口部２０の開口端縁に対向配置されている。
上筒部６３は、段差部６４の内縁から立設された略円筒形状の筒部であり、軸線Ｏを中心軸線にして軸方向に沿って延設されている。
【００３６】
天壁部６０は、上筒部６３の上端に配設された平面視円形の板部であり、軸線Ｏに対して垂直に配設されている。この天壁部６０の中心部分には、平面視略円形の貫通孔６５が形成されている。
【００３７】
ノズルキャップ７は、キャップ本体６が口部２０に装着されることでノズル筒部３０に被着される蓋体であり、その概略構成としては、注出口３５を閉塞する頂壁部７０と、頂壁部３５の外縁から垂下された周壁部７１と、周壁部７１の外側に配設されてキャップ本体６に係止された係止部７２と、係止部７２と周壁部７１とを連結する環状部７３と、が備えられている。
【００３８】
頂壁部７０は、軸線Oに対して垂直に配設された平面視円形の壁部であり、ノズル筒部３０の上方に配設されている。この頂壁部７０は、中央部分７０ａが上方に向けて球面状に膨出されており、外周部分７０ｂが軸線Ｏの垂直面に沿って形成されてノズル筒部３０の先端面に対向配置されている。
頂壁部７０の外周部分７０ｂの下面には、ノズル筒部３０の先端面に密接される注出口シール部７５が突設されている。この注出口シール部７５は、縦断面視略三角形の突起であり、注出口３５の周囲全周に亘って周設されて平面視円環状に形成されている。
【００３９】
また、頂壁部７０の中央部分７０ａの上面には、軸線Ｏを中心軸線にして軸方向に沿って延設されて上記したキャップ本体６の天壁部６０の貫通孔６５の内側に貫通された柱状の突起部７４が立設されている。この突起部７４は、頂壁部７０の軸方向の移動範囲を規制するものである。具体的に説明すると、突起部７４の上端部には、径方向外側に向けて突出されたフランジ部７４ａが全周に亘って設けられており、このフランジ部７４ａは、突起部７４がキャップ本体６に対して相対的に下降したときに上記した貫通孔６５の上側の周縁部に掛止される。また、突起部７４の下部は、貫通孔６５内に挿通される部分に比べて拡径されており、突起部７４の下部には、突起部７４がキャップ本体６に対して相対的に上昇したときに上記した貫通孔６５の下側の周縁部に掛止される段差面７４ｂが形成されている。
【００４０】
周壁部７１は、ノズル筒部３０の径方向外側に周設された筒部であり、軸線Ｏを中心軸線にして軸方向に沿って延設されている。この周壁部７１は、頂壁部７０の外縁から下方に向かって漸次拡径されたテーパー形状を成している。
【００４１】
環状部７３は、周壁部７１の下端から径方向外側に向けて全周に亘って突出された環状のフランジ部であり、中栓３のフランジ部３１及び口部２０の開口端縁の上方に配設されている。
この環状部７３の外周部７３ａは、中栓３のフランジ部３１の上面及び口部２０の開口端縁にそれぞれ対向配置されており、この外周部７３ａの下面には、口部２０の開口端縁に向かって突出した開口端縁シール部７６と、中栓３のフランジ部３１に向かって突出した中栓シール部７７と、がそれぞれ突設されている。開口端縁シール部７６は、縦断面視略三角状の突起であり、口部２０の内縁に沿って平面視円環状に形成されて口部２０の開口端縁に対して全周に亘って密接されている。中栓シール部７７は、縦断面視略三角状の突起であり、中栓３のフランジ部３１の外縁に沿って平面視円環状に形成されてフランジ部３１の上面に対して全周に亘って密接されている。この中栓シール部７７は、軸線Ｏを共通軸にして上記した開口端縁シール部７６と同軸上に配設されており、平面視において開口端縁シール部７６の内側に中栓シール部７７が配設されていると共に、縦断面視において中栓シール部７７と開口端縁シール部７６とが横並びに配設されている。
【００４２】
一方、環状部７３の内周部７３ｂは、軸方向に弾性変形可能な円環状の板部であり、オーバーキャップ４が口部２０に被着された状態において、内縁が上方に引張され、上方に向かうに従い漸次縮径されたテーパー形状に弾性変形している。これにより、周壁部７１が係止部７２に対して相対的に上方に押し上げられ、頂壁部７０がノズル筒部３０の先端面側に付勢されて注出口シール部７５がノズル筒部３０の先端面に押し付けられる。
【００４３】
係止部７２は、環状部７３の外縁から立設された略円筒形状の筒部であり、軸線Ｏを中心軸線にして軸方向に沿って延設されている。この係止部７２は、周壁部７１の外側全周に周設されており、係止部７２と周壁部７１とは二重筒構造となっている。この係止部７２は、環状部７３の外縁から上方に向かうに従い漸次拡径されており、係止部７２の上端は、段差部６４の下面（段差部６４と下筒部６２との内側の角部）に係止されている。
【００４４】
次に、上記した構成からなるキャップ付容器１の作用について説明する。
【００４５】
まず、使用前のキャップ付容器１について説明する。
使用前のキャップ付容器１は、図１に示すように、オーバーキャップ４が口部２０に装着されている。このとき、ノズルキャップ７の頂壁部７０によって中栓３の注出口３５が閉塞されていると共に、ノズルキャップ７の頂壁部７０と中栓３の頂壁部３４との間に注出口シール部７５が介在されているので、容器本体２内の内容物の漏出が確実に抑えられる。またこのとき、開口端縁シール部７６が口部２０の開口端縁に密接すると共に、中栓シール部７７が中栓３のフランジ部３１に密接し、さらに、注出口シール部７５が中栓３の頂壁部３４に密接するので、容器本体２が確実に密閉され、容器本体２内の気密性が確保されると共に、内容物の漏出がより確実に抑えられる。
【００４６】
なお、ノズルキャップ７の頂壁部７０に注出口シール部７５が設けられ、ノズルキャップ７の環状部７３に開口端縁シール部７６及び中栓シール部７７が設けられているので、注出口シール部７５、開口端縁シール部７６及び中栓シール部７７は、それぞれ突出長さが短尺な突起となっている。このため、注出口シール部７５、開口端縁シール部７６及び中栓シール部７７は、長尺な筒状のシール部に比べて、それぞれ被当接面（中栓３の頂壁部３４、口部２０の開口端縁、中栓３のフランジ部３１）に対して密接しやすく、液密性の確保が容易となる。
【００４７】
また、オーバーキャップ４が口部２０に被着された状態において、環状部７３の内周部７３ｂが弾性変形してノズルキャップ７の頂壁部７０がノズル筒部３０の先端面側に付勢されているので、その頂壁部７０に形成された注出口シール部７５が、ノズル筒部３０の先端面に対して全周に亘って確実に密接される。
【００４８】
また、口部２０の開口端縁の内周部に形成された段差２８に中栓３のフランジ部３１の外周部が嵌め込まれ、そのフランジ部３１の上面と口部２０の開口端縁とが面一に形成されているので、口部２０の開口端縁に密接される開口端縁シール部７６とフランジ部３１の表面に密接される中栓シール部７７とが同等な圧力で密接され、開口端縁シール部７６及び中栓シール部７７の双方によるシール性がそれぞれ安定して発揮される。
【００４９】
次に、キャップ付容器１の使用方法について説明する。
キャップ付容器１を使用する際には、まず、オーバーキャップ４を口部２０から取り外す。具体的に説明すると、オーバーキャップ４を口部２０に対して相対的に軸線Ｏ回りに回転させ、キャップ本体６の雌ねじ６６を口部２０の大径部２３の雄ねじ２６から外す。これにより、キャップ本体６が口部２０から分離されると共に、ノズルキャップ７が中栓３から分離され、注出口３５が開放される。
【００５０】
次に、容器本体２内に内容物が十分に残っている際には、口部２０に中栓３が装着された状態のまま、容器本体２の胴部２１を押圧して容器本体２内の内容物を注出口３５から注出する。このように、小径の注出口３５から内容物を注出することにより、内容物が少量ずつ注出される。
【００５１】
一方、容器本体２内の内容物の残りが少量となり、注出口３５から内容物が注出しにくいときには、口部２０に装着された中栓３を取り外す。具体的に説明すると、ノズル筒部３０の外周面を指等で摘んで、中栓３を口部２０に対して相対的に軸線Ｏ回りに回転させ、中栓３の雄ねじ３６を口部２０の小径部２５内面の雌ねじ２７から外す。これにより、中栓３が口部２０から分離され、口部２０の上端開口が開放される。このとき、ノズル筒部３０の外周面に周設されたオーバーハング状の突出部３３に指等が掛けられる。
次に、容器本体２の胴部２１を押圧して胴部２１内の内容物を口部２０内に押し出すと共に、口部２０の上端開口から指等を挿入して容器本体２内（口部２０内）の内容物を直接掻き出す。
そして、使用後には、中栓３を取り外した状態のまま、口部２０にオーバーキャップ４を再び被着させ、キャップ本体６の雌ねじ６６を口部２０の大径部２３の雄ねじ２６に螺着させる。これにより、開口端縁シール部７６が口部２０の開口端縁に密接され、容器本体２内が密閉されて容器本体２内の気密性が確保される。
【００５２】
上記したキャップ付容器１によれば、口部２０から中栓３を取り外すことで、口部２０に指等を挿入して内容物を直接掻き出すことができるので、容器本体２内の内容物を容易に使い切ることができる。
【００５３】
また、口部２０の開口端縁に密接する開口端縁シール部７６がオーバーキャップ４に設けられているので、中栓３を取り外す前だけでなく、中栓３を取り外した後も容器本体２内の気密性を確保することができ、容器本体２内の内容物の乾燥を防止することができる。
【００５４】
また、中栓３を口部２０に固定させるための係合筒部３２が中栓３に一体に形成されているので、中栓３を抜け止めする部材が不要であり、部品数を少なくすることができる。
また、口部２０から中栓３を取り外して使用する際の手順としては、中栓３を口部２０から取り外すだけであるので、使用手順が簡単であり、使いやすさを向上させることができる。
【００５５】
また、注出口３５の外周に注出口シール部７５が配置されているので、注出口３５からの内容物の漏出を確実に防止することができる。また、中栓３のフランジ部３１に全周に亘って中栓シール部７７が配置されているので、万一、注出口３５からノズル筒部３０の外周に内容物が漏出したとしても、中栓シール部７７によって中栓３のフランジ部３１がシーリングされているので、内容物がフランジ部３１の外側まで漏出することを防止することができる。さらに、上記した中栓シール部７７及び注出口シール部７５によって、容器本体２内をより確実に密閉することができ、容器本体２内の気密性をより確実に確保することができる。
【００５６】
また、オーバーキャップ４が口部２０に被着された状態において、ノズルキャップ７の環状部７３の内周部７３ｂが弾性変形してノズルキャップ７の頂壁部７０がノズル筒部３０の先端面側に付勢され、その頂壁部７０に形成された注出口シール部７５が、ノズル筒部３０の先端面に対して全周に亘って確実に密接されるので、注出口３５を確実に密閉することができ、内容物の漏出をより確実に防止することができる。
【００５７】
さらに、中栓３のフランジ部３１の上面と口部２０の開口端縁とが面一に形成され、開口端縁シール部７６及び中栓シール部７７によるシール性がそれぞれ安定して発揮されるので、上記した各シール部７６，７７によって、容器本体２内をより確実に密閉することができ、容器本体２内の気密性をより確実に確保することができる。
【００５８】
また、ノズル筒部３０を摘んで中栓３を口部２０から取り外す際、ノズル筒部３０の外周面に周設された突出部３３に指等が掛けられるので、ノズル筒部３０を容易に摘むことができ、中栓３の取り外し作業を容易に行うことができる。
【００５９】
以上、本発明に係るキャップ付容器の実施の形態について説明したが、本発明は上記した実施の形態に限定されるものではなく、その趣旨を逸脱しない範囲で適宜変更可能である。
例えば、上記した実施の形態では、平面視円形の注出口３５が中栓３の頂壁部３４に形成されているが、本発明は注出口の形状や数は適宜変更可能であり、例えば平面視矩形の注出口であってもよく、放射状にスリットが形成された注出口であってもよく、複数の孔からなる注出口であってもよい。
【００６０】
また、上記した実施の形態では、ノズル筒部３０と係合筒部３２との間にフランジ部３１が介在された構成の中栓３が口部２０に装着されているが、本発明は、フランジ部３１を省略することも可能であり、係合筒部の上端にノズル筒部が直接連設された中栓であってもよい。
【００６１】
また、上記した実施の形態では、ノズル筒部３０の外周面にオーバーハング状の突出部３３が周設された中栓３が口部２０に装着されているが、本発明は、他の形状の中栓３であってもよい。例えば、図３に示すように、このノズル筒部１３０の下部に、拡径された摘み部１３３が形成された中栓１０３であってもよい。この摘み部１３３は、指等で摘んだ際に滑りにくい形状に形成されており、例えば、外周面にローレット加工が施されて滑り止めされていてもよく、或いは、外周面が平面視多角形状に形成されていてもよい。
【００６２】
また、上記した実施の形態では、オーバーキャップ４が口部２０の大径部２３に螺着されているが、本発明は、螺着以外の係合構造でオーバーキャップが口部の大径部に係合されていてもよく、例えば、オーバーキャップが口部の大径部にアンダーカット嵌合されていてもよい。
また、上記した実施の形態では、中栓３の係合筒部３２が口部２０の小径部２５内に螺着されているが、本発明は、螺着以外の係合構造で中栓の係合筒部が口部の小径部に係合されていてもよく、例えば、中栓の係合筒部が口部の小径部にアンダーカット嵌合や圧入嵌合されていてもよい。
【００６３】
また、上記した実施の形態では、容器本体２の胴部２１が可撓性を有しており、この胴部２１の下端部を径方向内側に潰すように変形させて重ね合わせることで容器本体２の下端が閉塞された構成となっているが、本発明に係るキャップ付容器は、内容物を絞り出し可能なボトル状やパウチ状の容器であってもよい。例えば、容器本体が、薄肉で可撓性を有する筒状の胴部の下端に底部が一体に形成されたボトルであってもよく、或いは、薄肉で可撓性を有する筒状の胴部の下端に図示せぬ底蓋が嵌合されたボトルであってもよく、或いは、密閉された袋状のパウチであってもよい。さらに、本発明は、不可撓性の容器本体にすることも可能であり、例えば、変形不能なガラス製や合成樹脂製、陶製等の容器本体であってもよい。
【００６４】
また、上記した実施の形態では、口部２０が、大径部２３と段差部２４と小径部２５とによって多段状に形成されているが、本発明は、口部の形状は適宜変更可能であり、例えば、段差部２４が無い直筒状の口部であってもよい。
【００６５】
また、上記した実施の形態では、オーバーキャップ４に外殻部材５とキャップ本体６とノズルキャップ７とが備えられているが、本発明は、他の形状のオーバーキャップを用いることも可能である。例えば、外殻部材５を省略することが可能であり、また、ノズルキャップ７を省略して、開口端縁シール部や注出口シール部、中栓シール部をキャップ本体６に形成することも可能である。
【００６６】
また、上記した実施の形態では、キャップ本体６の周壁部６１が、大径の下筒部６２と小径の上筒部６３とが段差部６４を介して連設された構成となっているが、本発明は、キャップ本体（オーバーキャップ４）の形状は適宜変更可能であり、例えば直筒状の周壁部を有するキャップ本体であってもよい。この場合、周壁部の内周面にノズルキャップ７の係止部７２の上端を係止するための係止部を形成したり、或いは、ノズルキャップ７の係止部７２をキャップ本体６の天壁部６０に係止させたりする。
【００６７】
また、上記した実施の形態では、頂壁部７０の上面に突起部７４が立設されていると共に頂壁部７０の外縁から周壁部７１が垂下され、その周壁部７１の下端から径方向外側に向けて環状部７３が突出され、その環状部７３の外縁から筒状の係止部７２が立設された構成のノズルキャップ７がキャップ本体６の内側に嵌合されているが、本発明は、ノズルキャップ７の形状を適宜変更可能である。例えば、突起部７４を省略してもよい。また、係止部７２は筒状に形成されていなくてもよく、例えば、複数の板状の係止部が間欠的に周設された構成であってもよい。
【００６８】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００６９】
１  キャップ付容器
２  容器本体
３、１０３  中栓
４  オーバーキャップ
６  キャップ本体
７  ノズルキャップ
２０  口部
２８  段差
３０、１３０  ノズル筒部
３１  フランジ部
３２  係合筒部
３５  注出口
７０  頂壁部
７１  周壁部
７２  係止部
７３  環状部
７３ａ  外周部
７３ｂ  内周部
７５  注出口シール部
７６  開口端縁シール部
７７  中栓シール部
【図１】
2011073718.tif 000003
【図２】
2011073718.tif 000004
【図３】
2011073718.tif 000005